(57)【特許請求の範囲】
【請求項１】
河川、湖沼ならびに海岸において当該水域の治水を図るとともに水生生物の生息を促し自然の生態系を保護するための水生生物生息用護岸構造物であって、
前記水域沿岸に設けられた盛土と該盛土に沿って設けられた護岸壁との間に、水生生物の生息場所となる水生生物生息用構造体が設けられ、
前記水生生物生息用構造体は、水を流通させるとともに水生生物の通路となる開口部を有する筐体の内部に、節が抜かれた竹材と木材とを束ねた木竹束が収められ、
前記護岸壁には、前記水生生物生息用構造体に連通し該水生生物生息用構造体の内部に水の流れ生む流路となるとともに水生生物の通路となる流通孔が形成されていることを特徴とする水生生物生息用護岸構造物。
【請求項２】
前記流通孔の一部が、前記水生生物生息用構造体よりも上流側に配置されるとともに前記護岸壁から前記木竹束の一方の端面に連通するように設けられ、さらに前記水生生物生息用構造体よりも下流側に配置されるとともに前記護岸壁から前記木竹束の他方の端面に連通するように設けられていることを特徴とする請求項１記載の水生生物生息用護岸構造物。
【請求項３】
前記水生生物生息用構造体が、低水位よりも低い位置に設けられ、前記木竹束を構成する竹材には、内側の空間に貫通する複数の孔が形成されていることを特徴とする請求項１または２記載の水生生物生息用護岸構造物。
【請求項４】
前記水生生物生息用構造体に光を供給する採光孔が設けられ、採光孔の開口には強化ガラスが填め込まれていることを特徴とする請求項１、２、３のいずれか一項記載の水生生物生息用護岸構造物。
【請求項５】
前記流通孔は竹材で構成され、護岸壁の開口箇所の一部に、誘水板が設けられていることを特徴とする請求項１、２、３、４のいずれか一項記載の水生生物生息用護岸構造物。
【発明の詳細な説明】
【０００１】
【発明の属する技術分野】
本発明は、河川、湖沼ならびに海岸において当該水域の治水を図る護岸構造物に関するものである。
【０００２】
【従来の技術】
河川における改修工事や災害復旧工事においては、洪水時を想定し、河道に集まった水をより早く海に向けて流下させるために河道を拡げて蛇行する河道を直線状にする、河道に集まった水の流下させる能力を高めるために瀬や淵をなくして河床面を平坦化し滑らかにする、等の対策が採られてきた。
【０００３】
上記対策の一環として実施される護岸工には、積み石の裏込めに割栗石や砂利を用いる空石積み工法や、コンクリートブロックや石を積み石に使用し裏込めにコンクリートやモルタルを用いる練石積み工法等がある。空石積み工法は古来からの経験に基づいて確立された工法であるが、練石積み工法に比べて強度的に劣るため、近年では練石積み工法が多く実施されるようになっている。
【０００４】
【発明が解決しようとする課題】
空石積み工法による護岸工においては、積み石の裏にできる空隙が魚類やカニ、エビ、水生昆虫等の水生生物の絶好の隠れ場所となっており、洪水時にはこれら水生生物の避難場所となる等、水辺の生態系を保つ上で重要な役割を果たしていた。しかしながら、練石積み工法による護岸工においては、積み石の隙間にコンクリートやモルタルが充填されており、水生生物の生息場所となり得る空間がなくなってしまうため、水生生物が生息し難くなり、水辺の生態系が保てなくなるといった危険性が指摘されている。
【０００５】
本発明は上記の事情に鑑みてなされたものであり、河川、湖沼ならびに海岸において当該水域の治水を図るとともに水生生物の生息を促して水辺の生態系を保護する水生生物生息用護岸構造物を提供することを目的としている。
【０００６】
【課題を解決するための手段】
上記の課題を解決するために、本発明においては次のような構成を有する水生生物生息用護岸構造物を採用する。本発明に係る水生生物生息用構造物は、河川、湖沼ならびに海岸において当該水域の治水を図るとともに水生生物の生息を促し自然の生態系を保護するための水生生物生息用護岸構造物であって、
前記水域沿岸に設けられた盛土と該盛土に沿って設けられた護岸壁との間に、水生生物の生息場所となる水生生物生息用構造体が設けられ、
前記水生生物生息用構造体は、水を流通させるとともに水生生物の通路となる開口部を有する筐体の内部に、節が抜かれた竹材と木材とを束ねた木竹束が収められ、
前記護岸壁には、前記水生生物生息用構造体に連通し該水生生物生息用構造体の内部に水の流れ生む流路となるとともに水生生物の通路となる流通孔が形成されていることを特徴とする。
【０００７】
この水生生物生息用護岸構造物においては、護岸壁により護岸工に十分な強度が与えられる。これに加えて、当該水域から流通孔を通じて水生生物生息用構造体の内部に水が満たされ、さらに流通孔を通じて魚類やカニ、エビ、水生昆虫等の水生生物が水生生物生息用構造体の内部に侵入し、やがてここを生息場所とするようになる。また、水生生物生息用構造体を洪水時の避難場所としたり、魚道として利用したりすることで水生生物が当該水域に定着するようになり、水辺の生態系の保全が図られる。
【０００８】
水生生物生息用構造体は、水を流通させるとともに水生生物の通路となる開口部を有する筐体の内部に、節が抜かれた竹材と木材とを束ねた木竹束および／または石が収められたものであることが望ましい。魚類をはじめ水生生物は自然なものに寄り添いたがる性質（趨触性）を備えているため、木竹束や石を収めることでより小さな空隙が多数形成されるので、多くの水生生物が水生生物生息用構造体に集まるようになる。
【０００９】
流通孔の一部は、水生生物生息用構造体よりも上流側に配置されるとともに護岸壁から木竹束の一方の端面に連通するように設けられ、さらに水生生物生息用構造体よりも下流側に配置されるとともに護岸壁から木竹束の他方の端面に連通するように設けられることが望ましい。
【００１０】
水生生物生息用構造体は、低水位よりも低い位置に設けられ、前記木竹束を構成する竹材には、内側の空間に貫通する複数の孔が形成されていることが望ましい。河川の流量が１年のうちの２７５日はこれを下回らないという流量を低水流量といい、このときの水位を一般に低水位というが、この水位よりも低い位置に水生生物生息用構造体を設けることにより、水生生物生息用構造体が渇水期を除くほとんどの期間、常に水面下に位置するので、水生生物の生息する環境が安定的に保持される。
【００１１】
また、水生生物生息用護岸構造物には、水生生物生息用構造体に光を供給する採光孔が設けられ、採光孔の開口には強化ガラスが填め込まれていることが望ましい。採光孔を通して水生生物生息用構造体の観察ならびにメインテナンスを行うのに好都合であり、また、一般的に魚類によっては多少の光を必要とするため、採光孔を通して光を供給することで水生生物が生息するのにより好適な環境が形成されるからである。しかも、採光孔に強化ガラスをはめ込むことで孔内への土砂の流入が防止される。
流通孔は竹材で構成され、護岸壁の開口箇所の一部に、誘水板が設けられることが望ましい。
【００１２】
【発明の実施の形態】
本発明に係る水生生物生息用護岸構造物の実施形態を図１ないし図６に示して説明する。
図１は河川の改修工事において施工された水生生物生息用護岸構造物（以下、単に護岸構造物とする）の側断面図、図２は当該護岸構造物を河川の側から見た側面図（図１におけるＩＩ−ＩＩ線矢視図）である。図において、符号１は岸辺に盛られた盛土、２は盛土１の法面に積み上げられた栗石、３は栗石２の上から施工された練石積みの護岸壁、４は盛土１と護岸壁３との間に設けられた粗朶蛇篭（水生生物生息用構造体）、５は粗朶蛇篭４に河川を流れる水を供給するとともに水生生物の通路ともなる流通孔、６は粗朶蛇篭４の背面を覆い盛土１側からの土砂の流入を阻止するシート、７は粗朶蛇篭４に自然の光を供給する採光孔である。
【００１３】
護岸壁３は、盛土１の法面に沿って積み上げられたコンクリートブロック３ａの背面にコンクリート３ｂが打設されることで一体化されており、強固な壁面を形成している。
【００１４】
粗朶蛇篭４は、護岸壁３の裏側にあって低水位（Ｌ．Ｗ．Ｌ．）よりも低い位置に配置され、盛土１と栗石２とに埋設されている。また、護岸壁３と粗朶蛇篭４との間には板材８が予め配置されている。板材８は、コンクリート３ｂを打設する際に粗朶蛇篭４へのコンクリート３ｂの流入を阻止するとともに護岸壁３から粗朶蛇篭４に作用する圧力を分散させる働きを担っている。
【００１５】
図３に粗朶蛇篭４の斜視断面図を示す。粗朶蛇篭４は、金属製の網を長さ１〜３ｍ程度の箱形に加工した蛇篭９の内部に、間伐材や竹材等を束ねた木竹束１０と河川で採れた天然栗石１１とが複数収められたものである。木竹束１０は、蛇篭９の長さ方向にほぼ同じ長さとなるように複数連続して配置され、天然栗石１１は木竹束１０の周囲を取り囲むようにして蛇篭９に詰められている。
【００１６】
木竹束１０は、長さ１００〜３００ｃｍ程度に切断した直径６０〜１００ｍｍ程度の孟宗竹１２を中心にして、その周囲に孟宗竹１２と同程度の長さに切断した直径３０〜７０ｍｍ程度の真竹１３ならびに竹の小枝１４を孟宗竹１２と同方向に向けて配設し、さらにその周囲を孟宗竹１２等と同程度の長さに切断された直径２０ｍｍ〜１００ｍｍ程度の雑木１５で取り囲み、針金やビニール紐等の拘束帯１６によってこれらを縛り上げて束状にしたものである。孟宗竹１２には、内側の空間に貫通する孔１２ａが側面全体にわたって複数形成されている。また、孟宗竹１２も真竹１３もすべて節が抜かれて筒状となっている。
【００１７】
図４は護岸構造物の平断面図（図１におけるＩＶ−ＩＶ線矢視断面図）である。流通孔５は、栗石２の間に埋設された竹材を利用し、護岸壁３を貫通するようにして設けられている。また、河川の上流側に位置する流通孔５ａは河川から粗朶蛇篭４に向けて水が流入し易いように、下流側に位置する流通孔５ｂは粗朶蛇篭４から水が滞り無く流出するように、それぞれ河川の流れ方向に対して斜めに配置されている。
【００１８】
流通孔５ａ，５ｂの他にも、護岸壁３を貫通するようにして複数の流通孔５ｃが設けられている。これら流通孔５ｃは、粗朶蛇篭４への水の流通を助けるとともに魚類やカニ、エビ、水生昆虫等の水生生物の通路となるべく、粗朶蛇篭４の側面に連通するように配置されている。
【００１９】
各流通孔５ａ，５ｂ，５ｃは、護岸壁３側から見て僅かに上方に傾斜するように形成されている。流通孔５ａ，５ｂは低水位時の河川の流速を考慮し、粗朶蛇篭４に流入する水量が多くなるように、十分な大きさの口径が確保されている。また、主に水生生物の通路となる流通路５ｃの口径はいずれも一定ではなく、場所によって異なる水生生物が出入りするように大小様々に形成されている。
【００２０】
シート６は、粗朶蛇篭４ならびに粗朶蛇篭４の両端に連続して配置された流通孔５ａ，５ｂを盛土１側から包むようにして設けられている。シート６は目の詰まった繊維質で、土砂の流通を阻止しつつ水の流通を許容するようになっており、盛土１側の土砂が粗朶蛇篭４に流入するのを防止している。
【００２１】
採光孔７は、護岸壁３側を河川の水面よりも高い位置に開口させるように、護岸壁３側に向けて上方に貫通するようにして設けられている。護岸壁３側の開口には強化ガラス７ａが填め込まれて土砂の流入が阻止されている。
【００２２】
ところで、流通孔５ａへ水が流入し難い場合には、護岸壁３に開口する流通孔５ａに水を流入させるように工夫がなされる。例えば、図５に示すように流通孔５ａの下流側に合成ゴム製の誘水板１７が配置される。誘水板１７は、護岸壁３を正面から見ると上端を河川の下流側に傾けた状態で固定されており、河床近くを流れる水を流通孔５ａに誘導するようになっている。また、図６に示すように流通孔５ａの下流側に筒を反割にした合成ゴム製の誘水板１８が配置される。
【００２３】
上記のように構成された護岸構造物においては、練石積みの護岸壁３により護岸工に十分な強度が与えられて治水が図られる。これに加えて、護岸壁３の裏側に粗朶蛇篭４が埋設された状態となるので、ここに魚類やカニ、エビ、水生昆虫等の水生生物の生息場所となり得る空間が形成される。そして、この空間に流通孔５ａ，５ｂ，５ｃを通じて河川の水が流通することで水生生物の生息に適した環境が創られる。
【００２４】
例えば、木竹束１０には竹の小枝１４、雑木１５等で小さな小さな隙間が多数形成されるので、ここにカニ、エビ、水生昆虫等が好んで生息するようになる。魚の種類によってはここを産卵場所とするものが現れるようになる。天然栗石１１が詰められた空間には小型の魚類が生息するようになる。
【００２５】
さらに、様々な大きさの魚類が各流通孔５ａ，５ｂ，５ｃに出入りし、粗朶蛇篭４に生息する小型の魚類、カニ、エビ、水生昆虫等を補食するようになる。鰻等は流通孔５ｃをそのまま住みかとするようになる。
【００２６】
粗朶蛇篭４は護岸壁３の裏側に埋設された状態となっているので、洪水時のように水の流れが激しくなった場合でも木竹束１０や天然栗石１１の流出が防止されて水生生物が生息し易い環境が保護される。また、木竹束１０は常に水中にあって空気に触れないので腐食が進み難い。
【００２７】
このように、上記のように構成された護岸構造物によれば、護岸工に十分な強度が与えられるとともに、魚類やカニ、エビ、水生昆虫等の水生生物が生息し易い環境が創られることで、河川改修後も水辺をより自然な状態に保つことができる。
【００２８】
上記実施形態においては、木竹束１０と天然栗石１１とを詰めた粗朶蛇篭４を採用しているが、木竹束１０を用いず、間伐材や粗朶、竹の小枝等のそのまま蛇篭９に収めて使用しても構わない。また、天然栗石１１には護岸工を施工する河川で採れる石を利用することが望ましいが、都合がつかない場合には別の場所で採れた石でも構わない。
【００２９】
流通孔５ａ，５ｂ，５ｃはいずれも節を抜いた竹材を利用して形成されているが、強度が足りない場合には塩化ビニールやコンクリート等により加工された管状部材を使用しても構わない。
【００３０】
シート６には繊維質のものが使用されているが、かわりに間伐材や粗朶等を使用しても構わない。また、板材８にかえてシート６と同じ材質のものを使用してもよい。
【００３１】
採光孔７は盛土１側に設けても構わないし、採光孔７を粗朶蛇篭４の観察窓をして利用しても構わない。また、観察窓として別の孔を設けても構わないが、観察孔には土砂の流入を防ぐキャップを用意しておくことが望ましい。
【００３２】
河川の水位が低く流通孔５に水が流入し難い場合には、護岸壁３に沿う河床に寄石を敷いて水位をあげるようにしても構わない。
【００３３】
また、上記実施形態においては、流通孔５ａ，５ｂをほぼ同径に構成した例を示しているが、流通孔５ａの口径を流通孔５ｂの３〜５倍の大きさとしてもよい。主に魚の通路となる流通孔５ｃから河川に向けて若干の水の流れを作り出すことにより、魚類の向流性（水の流れに逆らって泳ごうとする性質）を利用して粗朶蛇篭４に魚類を呼び込む効果が期待できるからである。
【００３４】
次に、本発明に係る水生生物生息用護岸構造物の他の実施形態を図７ないし図９に示す。
図７に示す護岸構造物では、粗朶蛇篭４のかわりに、ヒューム管２０の内部に木竹束１０と天然栗石１１とを収めたものが使用されている。木竹束１０は、ヒューム管２０の長さ方向にほぼ同じ長さとなるように複数連続して配置され、天然栗石１１は木竹束１０の周囲を取り囲むようにしてヒューム管２０に詰められている。また、流通孔５ｃは、ヒューム管２０の側壁を貫通して形成されている。
【００３５】
この護岸構造物は、水生生物の生息空間を形成する木竹束１０や天然栗石１１がヒューム管２０によって保護されるため、比較的流れの速い河川や水量の多い大河川における護岸工に適している。なお、ヒューム管２０にかえて素焼きの陶管を使用してもよい。
【００３６】
図８に示す護岸構造物では、粗朶蛇篭４のかわりに、間伐材を櫓のように組み合わせた枠体３０の内部に木竹束１０と天然栗石１１とを収めたものが使用されている。枠体３０は、３本の間伐材３１を三角形をなすように組んだものを、さらに複数重ね合わせて櫓のように組み合わせたものである。
【００３７】
護岸壁３と枠体３０との間には、コンクリート３ｂを打設する際に枠体３０内へのコンクリート３ｂの流入を阻止するための間伐材３２が配置されている。また、盛土１に接する枠体３０の側面は、盛土１側からの土砂の流入を阻止するためのシート３３に覆われている。
【００３８】
図９に示す護岸構造物では、粗朶蛇篭４のかわりに、魚道を構成するコンクリートボックス４０が埋設されている。コンクリートボックス４０は、低水位においても水が十分に流れる深さに設置されている。この護岸構造物は、落差の少ない堰等で魚道を設けることができない箇所に適している。なお、コンクリートボックス４０にかえてヒューム管４１を使用してもよい。
【００３９】
上記実施形態では河川改修の際の護岸工を例に説明を進めたが、本発明に係る護岸構造物は河川に限らず湖沼や海岸の水域においても適用可能な技術である。
【００４０】
【発明の効果】
以上説明したように、本発明に係る水生生物生息用護岸構造物によれば、護岸壁により護岸工に十分な強度が与えられることに加えて、水域から流通孔を通じて水生生物生息用構造体の内部に水が満たされ、さらに流通孔を通じて魚類やカニ、エビ、水生昆虫等の水生生物が水生生物生息用構造体の内部に侵入し、ここを生息場所とするようになることで、河川の改修後も水辺の生態系をより自然な状態に保つことができる。
また、水生生物生息用構造体は護岸壁の裏側に設置されるので、洪水時のように水の流れが激しくなった場合でも水生生物の生息に適した環境を保護することができる。
【００４１】
水生生物生息用構造体に、水を流通させる開口部を有する筐体の内部に複数の塊体が収められたものを採用し、塊体を寄せ集めて狭い空間を形成することにより、水生生物の快適な生息場所となり得る空間を水生生物生息用構造体に多数形成することができる。
【００４２】
塊体に木材および／または石を用いることで、水生生物の趨触性を利用してより多くの水生生物を水生生物生息用構造体に集めることができる。
【００４３】
水生生物生息用構造体が低水位よりも低い位置に設けられることで、水生生物生息用構造体が渇水期を除くほとんどの期間、常に水面下に位置するので、水生生物の生息する環境を安定的に保持することができる。
【図面の簡単な説明】
【図１】本発明に係る水生生物生息用護岸構造物の実施形態を示す側断面図である。
【図２】図１におけるＩＩ−ＩＩ線矢視図である。
【図３】図１における粗朶蛇篭の斜視断面図である。
【図４】図１におけるＩＶ−ＩＶ線矢視断面図である。
【図５】流通孔へ水の流入を促すための誘水板を示す側面図ならびに側断面図である。
【図６】同じく、流通孔へ水の流入を促すための誘水板を示す側面図である。
【図７】本発明に係る水生生物生息用護岸構造物の他の実施形態を示す図であって、粗朶蛇篭にヒューム管を用いた例を示す側断面図である。
【図８】同じく、粗朶蛇篭に間伐材で組んだ枠体を用いた例を示す側断面図である。
【図９】同じく、粗朶蛇篭のかわりに魚道を構成するコンクリートボックスまたはヒューム管を用いた例を示す側断面図である。
【符号の説明】
１  盛土
２  栗石
３  護岸壁
４  粗朶蛇篭
５  流通孔
６  シート
７  採光孔
１０  木竹束
１１  天然栗石
【図１】
0003600056.tif 000002
【図２】
0003600056.tif 000003
【図３】
0003600056.tif 000004
【図４】
0003600056.tif 000005
【図５】
0003600056.tif 000006
【図６】
0003600056.tif 000007
【図７】
0003600056.tif 000008
【図８】
0003600056.tif 000009
【図９】
0003600056.tif 000010